(57)【要約】【課題】  錠剤分割器具の蓋体が開いた状態でも、カッターが蓋体から露出しない安全な錠剤分割器具の提供を課題とする。【解決手段】  蓋体２０が開蓋状態で、カッター昇降機構Ｍを構成するアーム４１は、バネ７１の付勢力がなくなる。この時、バネ７１は、支持台５１に形成された鍔部５３を押上げることになり、支持台５１に取付けられたカッター６１も同時に上昇することになる。この状態でカッター６１は、保護板３０に穿設されたカッター通過孔３２から飛び出さない構造になっているので、使用者が手や指を切ることはない。従って、本発明の錠剤分割器具１は、とても安全な錠剤分割器具である。【選択図】図６
2017000693.tif 000002
【特許請求の範囲】
【請求項１】
錠剤（Ｄ）を載置する基台（１０）と、これに対してヒンジ部（１４）により、開閉自在に連結された蓋体（２０）が回動して閉蓋状態時に、蓋体（２０）に備えたられた切断部（６０）により錠剤（Ｄ）を分割して半錠剤（ｄ）にする錠剤分割器具（１）において、
基台（１０）は、押上げピン（１３）を備え、
蓋体（２０）は、蓋本体（２１）と、保護板（３０）とを備え、
蓋体（２０）が開蓋状態時に、支持部（５０）が上昇し、
且つ、蓋体（２０）が閉蓋状態時に、支持部（５０）が下降する構造を有するカッター昇降機構（Ｍ）を備えたことを特徴とする錠剤分割器具（１）。
【請求項２】
カッター昇降機構（Ｍ）は、
蓋体（２０）の開蓋状態時に、支持部（５０）を上昇可能に付勢する弾性部（７０）と、
蓋体（２０）が閉蓋状態時に、支持部（５０）を下降可能に押圧する押圧部（４０）とを備え、
押圧部（４０）は、軸４１ａによって、回動可能に軸支されたアーム（４１）の一方の凸部（４１ｂ）が、支持部（５０）と当接し、
他方の凸部（４１ｃ）が押上げピン（１３）と当接するように構成され、
蓋体（２０）が閉蓋動作状態で押上げピン（１３）がアーム（４１）の他方の凸部（４１ｃ）を押上げるとともに、
一方の凸部（４１ｂ）が、支持部（５０）を押圧することを特徴とする請求項１に記載の錠剤分割器具（１）。
【請求項３】
押圧部（４０）のアーム（４１）は、
蓋本体（２１）に形成した軸受け板（２４）と、
保護板（３０）の裏面側に形成した閉塞板（３４）とで、形成される軸孔に軸支され、
切断部（６０）のカッター（６１）に対して所定の角度を有して設けられていることを特徴とする請求項１または請求項２に記載の錠剤分割器具（１）。
【発明の詳細な説明】
【技術分野】
【０００１】  本発明は、固形医薬品である錠剤を服用量に応じて１錠の錠剤を半分に分割して使用する場合に用いられる錠剤分割器具に関する。
【背景技術】
【０００２】  従来の錠剤分割器具は、図８に示すものがある。
錠剤分割器具１００は、基台１１０と蓋体１２０とがヒンジ部１４０により開閉自在に連結され概ね構成されている。【０００３】  基台１１０は、一対の位置決め板１１１が平面視略ハの字形状に立設されている。位置決め板１１１は、その頂点部にカットライン上に位置する隙間１１１ａを有している。さらに、一対の位置決め板１１１間の空間が錠剤Ｄを載置する錠剤載置部１１２を形成している。【０００４】  一方、ヒンジ部１４０によって、開閉自在に連結された蓋体１２０の蓋本体１２１の裏面１２２には支持台１５１が一体に形成されている。さらに、支持台１５１には溝１５１ａが凹設されている。この溝１５１ａに錠剤Ｄを切断するためのカッター１６１が圧入され取付けられている。【０００５】  以上のように、構成され従来の錠剤分割器具１００は、基台１１０の錠剤載置部１１２に錠剤Ｄを位置決め板１１１に押し付けるように錠剤Ｄを載置する。載置された錠剤Ｄは、カットラインが錠剤Ｄの中心を通過する位置になるように設定されている。【０００６】  そして、錠剤Ｄを載置した後、蓋体１２０を基台１１０に蓋をするように手で押圧しながら閉めると、カッター１６１が錠剤Ｄの中心に位置する隙間１１１ａの間を通過して錠剤Ｄが切断される。このようにして錠剤Ｄは、略均等に２分割されて半錠剤ｄが得られることになる。【０００７】  また、開示した特許文献１である実公平６−４１５４６号公報（出願人：三栄源エフ・エフ・アイ株式会社）の実施例も上記した従来例と略同様の構成であるる。尚、市販されている錠剤分割器具も上記した実施例および特許文献１の構成と略同様の構成、構造である。【０００８】  しかしながら、特許文献１を含む、上記した従来の錠剤分割器具１００は、蓋体１２０が開蓋状態時に、図８でも分かるように錠剤Ｄを切断するカッター１６１が露出しているので握力や視力が低下している高齢者などが使用する場合、手や指などを切って怪我をする欠点がある。
【先行技術文献】
【特許文献】
【０００９】
【特許文献１】  実公平６−４１５４６号公報
【発明の概要】
【発明が解決しようとする課題】
【００１０】  本発明は、以上のような従来の欠点に鑑み、錠剤分割器具の蓋体が開いた状態でも、カッターが露出することなく、且つ、握力や視力が低下している高齢者や小児などが使用に際して、手や指をカッターで誤って切ったりすることがない、安全な錠剤分割器具の提供を目的とする。
【課題を解決するための手段】
【００１１】  本発明は上記目的を達成するために、請求項１に記載された発明は、
錠剤（Ｄ）を載置する基台（１０）と、これに対してヒンジ部（１４）により、開閉自在に連結された蓋体（２０）が回動して閉蓋状態時に、蓋体（２０）に備えたられた切断部（６０）により錠剤（Ｄ）を分割して半錠剤（ｄ）にする錠剤分割器具（１）において、
基台（１０）は、押上げピン（１３）を備え、
蓋体（２０）は、蓋本体（２１）と、保護板（３０）とを備え、
蓋体（２０）が開蓋状態時に、支持部（５０）が上昇し、
且つ、蓋体（２０）が閉蓋状態時に、支持部（５０）が下降する構造を有するカッター昇降機構（Ｍ）を備えたことを特徴とする錠剤分割器具。【００１２】  請求項２に記載された発明は、上記において、
カッター昇降機構（Ｍ）は、
蓋体（２０）の開蓋状態時に、支持部（５０）を上昇可能に付勢する弾性部（７０）と、
蓋体（２０）が閉蓋状態時に、支持部（５０）を下降可能に押圧する押圧部（４０）とを備え、
押圧部（４０）は、軸４１ａによって、回動可能に軸支されたアーム（４１）の一方の凸部（４１ｂ）が、支持部（５０）と当接し、
他方の凸部（４１ｃ）が押上げピン（１３）と当接するように構成され、
蓋体（２０）が閉蓋動作状態で押上げピン（１３）がアーム（４１）の他方の凸部（４１ｃ）を押上げるとともに、
一方の凸部（４１ｂ）が、支持部（５０）を押圧することを特徴とする錠剤分割器具。【００１３】  請求項３に記載された発明は、上記において、
押圧部（４０）のアーム（４１）は、
蓋本体（２１）に形成した軸受け板（２４）と、
保護板（３０）の裏面側に形成した閉塞板（３４）とで、形成される軸孔に軸支され、
切断部（６０）のカッター（６１）に対して所定の角度を有して設けられていることを特徴とする錠剤分割器具。
【発明の効果】
【００１４】  請求項１の発明では、錠剤分割器具は、上記したように保護板を備えた蓋体が開蓋状態時に、カッターを備えた支持部が同時に上昇する。且つ、カッターを備えた支持部が、カッターも含め、蓋本体と保護板との空間に位置するため、カッターが保護板の表側に露出することがない、従って、握力や視力が低下している高齢者や小児などが使用しても手や指などを誤ってカッターで切ったりすることがない効果がある。【００１５】  請求項２の発明では、
カッター昇降機構は、上記したように蓋体の開蓋状態時に弾性部の付勢力によって、カッターを備えた支持部が上昇する。また、蓋体の閉蓋状態時に支持部を押圧するアームの他方の凸部が、基台に形成された押上げピンによって押上げられるとアームの軸を中心に回動するアームの一方の凸部が支持部を押圧しながら下降して支持部のカッターによって錠剤が分割される。【００１６】  このように、カッター昇降機構は、特に個別の動力源や電気的な部材およびボルトやネジ類が使用されておらず、非常にシンプルな構造を有しているため、故障がなく、組立て作業がし易いばかりか最小限の部品点数ため製造コストを低減できる効果がある。【００１７】  請求項３の発明では、
上記したように、蓋本体の軸受け板と保護板の閉塞板とから形成される軸孔に軸支された押圧部のアームは、切断部のカッターに対して平面視で所定の角度を有して設けられているので、蓋体の限られたスペースの中でアームを長くでき、大きな押圧力を発生することが可能である。従って、非力な小児や高齢者などでも錠剤を容易に分割できる効果がある。
【図面の簡単な説明】
【００１８】
【図１】  本発明の実施形態を示す開蓋状態の外観斜視図。
【図２】  同図１に示す一部破断した状態の分解斜視図。
【図３】  同図１に示す一部破断した状態の表側から見た分解斜視図。
【図４】  同図３に示すカッター昇降機構を蓋体の内部に配設した状態の一部破断した斜視図。
【図５】  同図１に示す蓋体の天井部を水平に破断した状態の平面から見た断面図。
【図６】  同開蓋状態のカッター昇降機構を示す蓋体の一部を破断した状態の斜視図。
【図７】  同閉蓋状態のカッター昇降機構を示す蓋体の一部を破断した状態の斜視図。
【図８】  従来の錠剤切断器具を示す一部破断した状態の外観斜視図。
【発明を実施するための形態】
【００１９】  以下、図１〜図５に基づいて、本発明の実施形態の錠剤分割器具１の各部材および構成について詳細に説明する。
【実施例】
【００２０】  図１〜図５のいずれかに示すように本発明の実施形態の錠剤分割器具１は、基台１０と蓋体２０とが、開閉自在に回動するヒンジ部１４によって、連結されている。基台１０には一対の位置決め板１１が平面視略ハの字形状に立設されている。位置決め板１１は、略ハの字形状の頂点部が隙間１１ａを形成している。【００２１】  また、位置決め板１１の間の空間が錠剤Ｄを載置する錠剤載置部１２を形成している。基台１０には位置決め板１１の外方に押上げピン１３が立設されている。押上げピン１３の上面は、押上げ面１３ａを成している。さらに、基台１０の外壁にはヒンジ部１４の一方を構成するヒンジ片１５が形成されている。ヒンジ片１５の両側には回動の中心である軸１５ａが外方に凸設されている。尚、上記した基台１０は、樹脂射出成形にて一体に成形されているので、部品点数としては１点のみである。【００２２】  一方、ヒンジ部１４によって開閉自在に連結された蓋体２０は、蓋本体２１と保護板３０とで構成される内部空間に、カッター昇降機構Ｍを配設して構成されている。また、保護板３０には基台１０に形成された突上げピン１３が通過するピン通過孔３１が穿設されている。そして保護板３０は、蓋体２０から容易に外れないようにカシメなどの固定手段によって固定されている。尚、上記したピン通過孔３１の直径は、約８ｍｍ程度で、後述するアーム４１の他方の押圧部４１ｃがピン通過孔３１を塞ぐ様に近接している為、開蓋状態ではピン通過孔３１に隙間は殆んど無くなり、その大きさから見て小児の指でも挿入が難しく指を切るなどの心配がない。【００２３】  次に、図２〜図４のいずれかに示すようにカッター昇降機構Ｍは、蓋体２０と保護板３０との空間に押圧部４０と支持部５０と、この支持部５０に取付けられた切断部６０と、さらに、保護板３０と支持部５０との間に付勢力を有する弾性部７０とを配設して略構成されている。【００２４】  詳細に説明するならば、蓋体２０には、蓋本体２１の天井部２２の裏面２２ａに支持部５０を摺動可能にする案内するガイドピン２３が立設されている。また、このガイドピン２３の先端は、ガイドピン２３の径より径小の圧入部２３ａが一体に形成されている。さらに、裏面２２ａには押圧部４０を配設するための一対の軸受け板２４が点対称（図５参照）に立設されている。また、この軸受け板２４には軸受け部２４ａが凹設されている。【００２５】  また、同様に裏面２２ａには、一対のガイド部２５が形成されている。この対向するガイド部２５の空間がガイド溝部２５ａとなる。さらに、蓋本体２１の周壁面２１ａにはヒンジ部１４の他方を構成するヒンジ片２６が一体に形成されている。このヒンジ片２６には軸孔２６ａが穿設されている。そして軸孔２６ａに上記した基台１０に形成されたヒンジ片１５の軸１５ａが嵌合して基台１０と蓋体２０とが開閉可能となる。【００２６】  尚、蓋体２０は、蓋本体２１の天井部２２の裏面２２ａに設けられたガイドピン２３と軸受け板２４とガイド部２５とヒンジ片２６とが樹脂射出成形により一体成形されている。従って、部品の点数としては、１部品のみとなるので生産性がよく、組立てが容易になり、結果、コストの低減と品質の向上に繋がっ���。【００２７】  次に、保護板３０には、ピン通過孔３１とともに切断部６０であるカッター６１が通過するカッター通過孔３２が穿設されている。このカッター通過孔３２には、カッター６１の通過をガイドする図１にも示した凸部３２ａが対向して形成されている。【００２８】  この凸部３２は、通過するカッター６１のぶれを抑えてカッター６１の刃折れを防ぐ働きをするとともに使用中に指をカッター通過孔３２に押し付けた際に指がカッター通過孔３２の中に入り込まず、カッター６１で指を切ることを防ぐ働きも有している。【００２９】  また、保護板３０には、蓋体２０のガイドピン２３が圧入して取付けるための段付孔３３が穿設されている。この段付孔３３は、径大部３３ａと径小部３３ｂとからなる段付形状を有している。径小部３３ｂにはガイドピン２３の圧入部２３ａが圧入される。【００３０】  また、保護板３０には、軸受け板２４と平面視（図５参照）で同位置に軸受け板２４を塞ぐ閉塞板３４が立設されている。この閉塞板３４は、蓋体２０に保護板３０をカシメなどの固定手段によって固定した際、軸受け板２４に当接する。そして当接することにより、後述するアーム４１の軸４１ａの軸孔として機能する。さらに、保護板３０には、蓋体２０のガイド部２５の外側に嵌め込むことによって、蓋体２０に対して保護板３０の位置決めがされる置決めピン３５が対向して立設されている。【００３１】  次に、押圧部４０は、一対のアーム４１から構成されている。この、アーム４１は、蓋本体２１の下方に平面視（図５参照）で点対称に配置されている。アーム４１の中央部には、軸４１ａが凸設されている。また、アーム４１の両端の下方に押圧部４１ｂと他方の押圧部４１ｃとが凸設されている。そして、軸４１ａが軸受け板２４の軸受け部２４ａに配設されている。【００３２】  また、アーム４１は、蓋本体２１に形成した軸受け板２４と保護板３０の裏面側に形成した閉塞板３４とで、形成される軸孔に軸４１ａが軸支されている。さらに、アーム４１は、支持台５１に取付けられた切断部６０であるカッター６１に対して所定の角度（本実施例の場合は、平面視で約５６°）を有して配設されている。【００３３】  また、アーム４１が所定の角度を有して設けられていることは、本実施例の場合、外径約５０ｍｍの蓋本体２１の内部にカッター昇降機構Ｍを構成する場合、押圧部４０の押圧力を大きくしようとするとアーム４１の全長をなるべく長くした方が押圧力を大きくできる。【００３４】  しかしながら、錠剤分割器具１をなるべくコンパクトにしたいので、アーム４１は、所定の角度を有して配設することによって、カッター６１に対して直角に取付けるよりも、アーム４１の長さを長くすることができ、従って押圧力を大きくすることが可能となる。【００３５】  次に支持部５０は、支持台５１と、この支持台５１の昇降動作をガイドするガイド端５２と、ガイドピン２３が挿通する挿通孔５３ａが穿設された鍔部５３とが平面視（図５参照）で点対称に設けられている。鍔部５３には弾性部７０である圧縮バネであるバネ７１が作動中に外れないようにボス部５４に取付けられている。【００３６】  また、支持台５１の下方には切断部６０であるカッター６１を取付ける溝５５が対向して設けられる凹設されている。この溝５５の長手方向の寸法は、カッター６１の巾寸法より若干小さく形成されている。従って、カッター６１を圧入して取付けると、カッター６１は、支持台５１から容易に抜けることはない。【００３７】  次に、図４を用いて蓋体２０内に取付けられた状態のカッター昇降機構Ｍを詳細に説明する。尚、図４で図示できない箇所については、図１〜図３および図５のいずれかを参照する。【００３８】  まず、蓋本体２１の天井部２２を下側にした状態で軸受け板２４に凹設された軸受け部２４ａに、アーム４１に凸設された軸４１ａを設置する。この状態でアーム４１は、軸４１ａを中心に回動可能となる。【００３９】  次に、蓋本体２１に形成されたガイド部２５のガイド溝部２５ａに、カッター６１が取付けられた状態の支持台５１のガイド端５２を嵌め込むように取付けする。略同時に支持台５１の鍔部５３に穿設された挿通孔５３ａにガイドピン２３が挿通した状態となる。この状態でバネ７１をガイドピン２３に連通させて鍔部５３のボス部５４に嵌めるように取付ける。【００４０】  上記した、カッター昇降機構Ｍを構成する上記した各々の部材が蓋本体２１内に設置さられた後、蓋本体２１内に嵌め込むように保護板３０をカシメなどの固定手段によって固定する。この時、保護板３０の径大部３３ａにガイドピン２３が挿通され、径小部３３ｂには、ガイドピン２３の圧入部２３ａが圧入されてガイドピン２３が固定される。このようにしてカッター昇降機構Ｍが作動可能な状態になる。【００４１】  上記したよう構成された錠剤分割器具１の作動について図６および図７を用いて詳細に説明する。また、図６および図７で図示できない箇所については、図１〜図５の何れかを参照にする。【００４２】  図６に示すように開蓋状態（図１のような状態）で、錠剤Ｄ（図１参照）を切断する前のカッター昇降機構Ｍは、支持台５１がバネ７１の付勢力によって、押上げられるとともに支持台５１の上面５１ａと当設しているアーム４１の一方の押圧部４１ｂが押上げられている状態となっている。【００４３】  同様にバネ７１の付勢力によって、鍔部５３が押上げられた支持台５１は、取付けられているカッター６１も同時に押上げられ上昇することになる。この状態でカッター６１は、保護板３０に穿設されたカッター通過孔３２から露出しない構造になっているので、使用者が手や指を切ることはない。従って、本発明の錠剤分割器具１は、とても安全な錠剤分割器具であることは明らかである。【００４４】  次に、図７に示すように閉蓋動作状態（蓋体２０がヒンジ部１４により、回動して基台１０に蓋をするまでの動作状態）で、錠剤Ｄ（図１参照）を切断している状態のカッター昇降機構Ｍは、押圧部４０であるアーム４１の他方の押圧部４１ｃが、基台１０に立設された押上げピン１３の押上げ面１３ａと当設しながら、押上げられ上昇するので、軸４１ａを中心に、アーム４１が回動して、一方の押圧部４１ｂが押圧によって下降する。【００４５】  次に、押上げ面１３ａによる押上げ力が圧縮バネ７１の付勢力より大きくなると支持台５１の上面５１ａと当接した状態の一方の押圧部４１ｂは、支持台５１を押圧して下降していく。そして、下降が下死点の状態でカッター６１は、保護板３０に穿設されたカッター通過孔３２を通過して錠剤Ｄ（図１参照）を半分に切断する。このようにして、分割された錠剤Ｄは、半錠剤ｄ（図１参照）になる。
【符号の説明】
【００４６】    １・・・・錠剤分割器具
１０・・・基台
１１・・・位置決め板
１１ａ・・隙間
１２・・・錠剤載置部
１３・・・押上げピン
１３ａ・・押上げ面
１４・・・ヒンジ部
１５・・・ヒンジ片
１５ａ・・軸
２０・・・蓋体
２１・・・蓋本体
２１ａ・・周壁面
２２・・・天井部
２２ａ・・裏面
２３・・・ガイドピン
２３ａ・・圧入部
２４・・・軸受け板
２４ａ・・軸受け部
２５・・・ガイド部
２５ａ・・ガイド溝部
２６・・・ヒンジ片
２６ａ・・軸孔
３０・・・保護板
３１・・・ピン通過孔
３２・・・カッター通過孔
３２ａ・・凸部
３３・・・段付孔
３３ａ・・径大部
３３ｂ・・径小部
３４・・・閉塞板
３５・・・位置決めピン
４０・・・押圧部
４１・・・アーム
４１ａ・・軸
４１ｂ・・一方の押圧部
４１ｃ・・他方の押圧部
５０・・・支持部
５１・・・支持台
５２・・・ガイド端
５３ａ・・挿通孔
５３・・・鍔部
５４・・・ボス部
５５・・・溝
６０・・・切断部
６１・・・カッター
７０・・・弾性部
７１・・・バネ
Ｄ・・・・錠剤
ｄ・・・・半錠剤
Ｍ・・・・カッター昇降機構
【図１】
2017000693.tif 000003
【図５】
2017000693.tif 000004
【図２】
2017000693.tif 000005
【図３】
2017000693.tif 000006
【図４】
2017000693.tif 000007
【図６】
2017000693.tif 000008
【図７】
2017000693.tif 000009
【図８】
2017000693.tif 000010